(57)【要約】【課題】設計の自由度を向上できる計器を提供する。【解決手段】実施形態における計器１は、ケース１０と、ケース１０の外から延び電力を供給する通電用コード５４と電気的に接続される端子５３を有し、ケース１０に固定されるソケット５１と、ソケット５１に支持され、端子５３と電気的に接続される回路基板５５と、回路基板５５に実装され、端子５３から供給される電力により点灯する表面実装型のＬＥＤ５７、５８と、を有する。【選択図】図２
2020201123.tif 000002
【特許請求の範囲】
【請求項１】
ケースと、
前記ケースの外から延び電力を供給するコードと電気的に接続される端子を有し、前記ケースに固定されるソケットと、
前記ソケットに支持され、前記端子と電気的に接続される回路基板と、
前記回路基板に実装され、前記端子から供給される電力により点灯する表面実装型のＬＥＤ（Light Emitting Diode）と、を有する計器。
【請求項２】
前記回路基板は、前記回路基板の面方向が前記計器の前後方向に沿って配置され、
前記ＬＥＤは、前記回路基板に平行な方向の指向性を有する、請求項１記載の計器。
【請求項３】
前記回路基板は、前記ソケットに支持され前記端子と電気的に接続される親回路基板と、前記親回路基板と基板接続コードを介して電気的に接続される子回路基板と、であり、
前記ＬＥＤは、前記子回路基板に実装される、請求項１記載の計器。
【請求項４】
前記ＬＥＤは、前記回路基板の両面に実装される複数のＬＥＤである、請求項１記載の計器。
【発明の詳細な説明】
【技術分野】
【０００１】
本開示は、車両等に搭載される計器に関する。
【背景技術】
【０００２】
自動二輪車等の車両には、速度、エンジン回転数等を表示する計器が搭載される。計器は、内部に照明用の光源を有する。光源は、例えば、背面側から正面側に向けて文字板を照明する。光源には、例えばバルブ型の白熱電球が用いられる。
【先行技術文献】
【特許文献】
【０００３】
【特許文献１】実開昭５９−１８３６１４号公報
【発明の概要】
【発明が解決しようとする課題】
【０００４】
バルブ型の白熱電球は、消費電力量が大きいことに伴い、発熱量が大きい。このため、計器には、電球同士を近接して配置することができない等の、設計上の制限が課されていた。このような計器には、バルブ型の白熱電球に代わる光源を用いることが求められている。この場合、光源の変更に伴う装置構成の変更や、コストアップを伴うことのない、代替光源を用いた計器が求められる。
【０００５】
本開示はこのような事情を考慮してなされたもので、設計の自由度を向上できる計器を提供することを目的とする。
【課題を解決するための手段】
【０００６】
本開示の計器は、上述した課題を解決するために、ケースと、前記ケースの外から延び電力を供給するコードと電気的に接続される端子を有し、前記ケースに固定されるソケットと、前記ソケットに支持され、前記端子と電気的に接続される回路基板と、前記回路基板に実装され、前記端子から供給される電力により点灯する表面実装型のＬＥＤ（Light Emitting Diode）と、を有する。
【発明の効果】
【０００７】
本開示の計器においては、設計の自由度を向上できる。
【図面の簡単な説明】
【０００８】
【図１】本開示の計器の実施形態であり、前側の一部を表す図。
【図２】図１のII−II線に沿う断面図。
【図３】変形例としての計器を示す図２に対応する断面図。
【図４】他の変形例としての計器を示す図２に対応する断面図。
【発明を実施するための形態】
【０００９】
本開示の計器の実施形態を添付図面に基づいて説明する。本開示に係る計器は、例えば二輪車や自動車等の車両や、船舶、農業機械、建設機械（車両等）に搭載される。
【００１０】
図１は、本開示の計器の実施形態であり、前側の一部を表す図である。
図２は、図１のII−II線に沿う断面図である。
【００１１】
以下の説明において、「前（前面）」、「後（背面）」、「上」、「下」、「右」、及び「左」は、図１から図４における定義「Ｆｒ．」、「Ｒｅ．」、「Ｔｏ．」、「Ｂｏ．」、「Ｒ」、及び「Ｌ」に従う。なお、計器１がユーザに視認される側を「前」とする。
【００１２】
計器１は、速度表示部２と、距離表示部３と、を主に有しており、車両等に関する各種情報を表示する。速度表示部２は、車両等の走行速度を指針３２により表示する。距離表示部３は、車両等の走行距離を機械的に表示する。
【００１３】
計器１は、ケース１０と、文字板２０と、駆動部３０と、オドメータ４０と、ＬＥＤユニット５０と、導光体６０と、を主に有する。
【００１４】
ケース１０は、遮光性の合成樹脂（例えばポリプロピレン）からなり、文字板２０、駆動部３０、ＬＥＤユニット５０等を収容する。ケース１０は、カバー１２で覆われる開口１３を有する。カバー１２は、透光性を有する無機ガラスや樹脂（例えばポリカーボネート樹脂、ポリメタクリル酸メチル樹脂（ＰＭＭＡ））からなり、ケース１０にねじ等で固定される。ケース１０は、背面１４に、ソケット５１を前後方向に貫通させて支持するソケット支持孔１５を有する。
【００１５】
文字板２０は、ケース１０の開口１３を覆うように配置され、ケース１０とカバー１２との間で固定される。文字板２０は、基材と、意匠層と、を有する。基材は、例えば透過性（透光性）を有する樹脂（例えばポリカーボネート樹脂）からなる板状部材である。意匠層は、基材の前面又は背面に形成された、黒色の遮光性インキで印刷された印刷層である。意匠層は、抜き文字状に形成された目盛、数字、文字及び記号等の意匠（図示せず）を有する。意匠は、ＬＥＤ５７、５８の光により文字板２０の後側から照明され、光が透過することにより点灯表示される。また、文字板２０は、オドメータ４０を露出するための、略四角形状の表示窓２１を有する。
【００１６】
駆動部３０は、文字板２０の後側に配置されており、ケース１０の背面１４から一部が突出して固定される。駆動部３０は、車両等から入力される走行速度に応じて指針軸３１を回転する。指針軸３１は、文字板２０に対して垂直に前側に延びる。駆動部３０は、指針軸３１の先端に、指針３２を有する。指針３２は、文字板２０の前側で、文字板２０に平行する面上を回転して、走行速度に対応する文字板２０上の意匠を指し示す。なお、指針３２は、透明樹脂部分を有することにより、ＬＥＤ５７、５８の光で照明されてもよい。
【００１７】
オドメータ４０は、数字が描かれた複数の円筒部材を有する機械式の装置である。オドメータ４０は、車両等から入力される走行距離に応じて回転することにより、走行距離に対応する数字を表示する。
【００１８】
ＬＥＤユニット５０は、ソケット５１と、回路基板５５と、第１ＬＥＤ５７と、第２ＬＥＤ５８と、を有する。
【００１９】
ソケット５１は、ゴム製であり、ケース１０のソケット支持孔１５に固定される。ソケット５１は、基板支持部５２と端子５３と、を有する。基板支持部５２は、回路基板５５の面方向が前後方向に沿うように挿入された場合に弾性を利用して回路基板５５を支持することが可能なよう、回路基板５５の寸法に対応して設定される空間である。端子５３は、ケース１０の外から延びる通電用コード５４と電気的に接続される。通電用コード５４は、車両等から引き回されたコードであり、車両等のイグニッションスイッチがオンされると電力を供給する。
【００２０】
回路基板５５は、配線パターンを有する矩形状の硬質の薄板である。回路基板５５は、銅箔５６を有する。銅箔５６は、ソケット５１の端子５３と回路基板５５の配線パターンとを電気的に接続する。
【００２１】
第１ＬＥＤ５７及び第２ＬＥＤ５８は、表面実装型（チップ型）のＬＥＤである。第１ＬＥＤ５７及び第２ＬＥＤ５８は、銅箔５６と電気的に接続されており、通電用コード５４から供給される電力により点灯する。第１ＬＥＤ５７は、回路基板５５の計器１の内側を向く内側面５５ａであって、ソケット５１に支持される後端５５ｃとは反対側の前端５５ｄ側に実装される。第１ＬＥＤ５７から発せられる光は、回路基板５５の実装面に対して平行方向の指向性を有する。すなわち、第１ＬＥＤ５７は、多くの光が前側を照明する。第２ＬＥＤ５８は、回路基板５５の内側面５５ａと反対側の面である外側面５５ｂであって、前端５５ｄ側に実装される。第２ＬＥＤ５８から発せられる光は、回路基板５５の実装面に対して垂直方向の指向性を有する。すなわち、第２ＬＥＤ５８は、多くの光がケース１０の前後方向に延びる内壁１６を照明する。
【００２２】
導光体６０は、透明樹脂（例えばＰＭＭＡ）からなる。導光体６０は、文字板２０の後側に文字板２０に密着して配置され、第１ＬＥＤ５７及び第２ＬＥＤ５８が発する光を効率良く文字板２０の前側に導く。
【００２３】
以上のように構成された計器１は、光源として回路基板５５に搭載された表面実装型のＬＥＤ５７、５８を用いた。このため、バルブ型の白熱電球を用いる場合に比べて、発熱量を低減できる。これに伴い、計器１は、光源からの発熱の影響を低減でき、光源同士や光源と他の部材とを近接して配置でき、設計の自由度を向上できる。例えば、計器１は、第１ＬＥＤ５７及び第２ＬＥＤ５８を共通の回路基板５５に設けたように、複数の光源を近接して配置できるため、照明の光量も自由に設定できる。
【００２４】
また、第１ＬＥＤ５７及び第２ＬＥＤ５８の発光方向を、設置位置に応じて異ならせた。これにより、例えば、第１ＬＥＤ５７を主に導光体６０を介して文字板２０の意匠を点灯表示するための光源として用い、第２ＬＥＤ５８を主に文字板２０の外周を照明するための光源として用いることができる。この結果、計器１は、デザインの自由度をも向上できる。また、ＬＥＤ５７、５８は、白熱電球に比べて指向性が高いため、単に光源をＬＥＤ５７、５８に置き換えたのみでは、照明ムラが発生する可能性がある。これに対しては、計器１は、ＬＥＤ５７、５８毎に発光方向を異ならせ、例えばケース１０の内壁１６を利用して間接的に文字板２０を照明することにより、照明ムラを抑制できる。
【００２５】
また、計器１は、バルブ型の電球に用いられるソケットをそのままソケット５１として用いることができる。このため、計器１は、バルブ型の白熱電球に用いていたケース１０の構造等に大きな変更を加えることなく、光源をＬＥＤユニット５０に代替できる。
【００２６】
また、計器１は、比較的安価な表面実装型のＬＥＤ５７、５８を用いるため、表面実装型のＬＥＤに比べて高価な砲弾型ＬＥＤを用いた場合に比べて、部品コストを低減できる。
【００２７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００２８】
例えば、回路基板５５に実装されるＬＥＤの個数は上記実施形態の個数に限定されず、１以上であればいくつでもよい。例えば、計器１の第２ＬＥＤ５８は省略されてもよい。
【００２９】
また、回路基板５５に更に他の回路基板を電気的に接続することにより、光源の配置の自由度を高めてもよい。例えば、図３は、変形例としての計器１００を示す図２に対応する断面図である。
【００３０】
計器１００が計器１と異なる点は、ＬＥＤユニット５０に代えて、親基板ユニット１２０及び親基板ユニット１２０と接続された子基板ユニット１３０を有するＬＥＤユニット１１０を有する点である。計器１と対応する構成及び部分については同一の符号を付し、重複する説明を省略する。
【００３１】
親基板ユニット１２０は、ソケット５１と、親回路基板１２２と、を有する。親回路基板１２２は、親側コネクタ１２３を有する。親側コネクタ１２３は、ソケット５１の端子５３と電気的に接続される。親基板ユニット１２０は、ＬＥＤを実装しない。親側コネクタ１２３は、基板接続コード１４０の一端と接続する。
【００３２】
子基板ユニット１３０は、ケース１０上にねじ等により固定される。子基板ユニット１３０は、子側コネクタ１３２と、ＬＥＤ１３３と、が実装された子回路基板１３１を有する。子側コネクタ１３２は、基板接続コード１４０の他端と接続する。これにより、子回路基板１３１は、親回路基板１２２を介して通電用コード５４から電力の供給を受ける。ＬＥＤ１３３は、子回路基板１３１の前側を向く面に実装される、表面実装型のＬＥＤである。ＬＥＤ１３３から発せられる光は、回路基板５５の実装面に対して平行方向の指向性を有する。ＬＥＤ１３３は、通電用コード５４から供給される電力により点灯する。
【００３３】
このような計器１００は、親回路基板１２２を起点にケース１０内で基板接続コード１４０を引き回すことにより、任意の位置にＬＥＤ１３３を有する子基板ユニット１３０を配置できる。このため、ケース１０の構造上、ソケット５１が配置できない箇所であっても、ＬＥＤ１３３を配置できる。例えば、ソケット５１の位置にＬＥＤ１３３を設けた場合、ケース１０内の駆動部３０により光が遮られ、光が到達しない領域ができてしまう。これに対し、計器１００は、子回路基板１３１が配置できる位置であれば、どのような位置にも自由にＬＥＤ１３３を配置でき、照明範囲を設定できる。
【００３４】
さらに、図４は、他の変形例としての計器２００を示す図２に対応する断面図である。
【００３５】
他の変形例としての計器２００が計器１００と異なる点は、子回路基板１３１が計器１００の子回路基板１３１に対して９０度回転しており、面方向が前後方向に沿って配置される点と、ＬＥＤ１３４が、子回路基板１３１の実装面に対して垂直方向の指向性を有する点である。このように、照明したい位置や配置が可能な空間に応じて、子回路基板１３１の位置や向き、子回路基板１３１上のＬＥＤ１３３、１３４の位置や照明方向も自由に設定できる。なお、ＬＥＤは、親回路基板１２２にも実装されてもよい。
【符号の説明】
【００３６】
１、１００、２００  計器
２  速度表示部
３  距離表示部
１０  ケース
１２  カバー
１３  開口
１４  背面
１５  ソケット支持孔
１６  内壁
２０  文字板
２１  表示窓
３０  駆動部
３１  指針軸
３２  指針
４０  オドメータ
５０  ＬＥＤユニット
５１  ソケット
５２  基板支持部
５３  端子
５４  通電用コード
５５  回路基板
５５ａ  内側面
５５ｂ  外側面
５５ｃ  後端
５５ｄ  前端
５６  銅箔
５７、５８、１３３、１３４  ＬＥＤ
６０  導光体
１１０  ＬＥＤユニット
１２０  親基板ユニット
１２２  親回路基板
１２３  親側コネクタ
１３０  子基板ユニット
１３１  子回路基板
１３２  子側コネクタ
１４０  基板接続コード
【図１】
2020201123.tif 000003
【図２】
2020201123.tif 000004
【図３】
2020201123.tif 000005
【図４】
2020201123.tif 000006